(57)【要約】  本発明による中継装置は、複数の信号を受信する受信部と、データを格納する第１のデータ領域と、前記第１のデータ領域以外の領域である第２のデータ領域との双方に、前記受信した信号を複数格納してデータフレームを生成する生成部と、前記生成したデータフレームを送信する送信部と、を備えている。
2012036009.tif 000002
【特許請求の範囲】
【請求項１】
複数の信号を受信する受信部と、
データを格納する第１のデータ領域と、前記第１のデータ領域以外の領域である第２のデータ領域との双方に、前記受信した信号を複数格納してデータフレームを生成する生成部と、
前記生成したデータフレームを送信する送信部と、
を備える中継装置。
【請求項２】
前記第２のデータ領域は、端局間通信に用いられる端局間通信制御領域を含む、請求項１に記載の中継装置。
【請求項３】
前記第２のデータ領域は、前記格納した信号のポインタに用いられるポインタ領域を含む、請求項１または２に記載の中継装置。
【請求項４】
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む請求項１から３のいずれか１つに記載の中継装置。
【請求項５】
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＡＵ（Ａｄｍｉｎｉｓｔｒａｔｉｖｅ  Ｕｎｉｔ）ポインタを含む、請求項１から４のいずれか１つに記載の中継装置。
【請求項６】
前記生成部は、さらに、前記データフレームの順序を制御するための順序制御情報を前記データフレームに格納する、請求項１から５のいずれか１つに記載の中継装置。
【請求項７】
データフレームを送信する送信側中継装置と、
前記データフレームを受信する受信側中継装置と、
を備え、
前記送信側中継装置は、
複数の信号を受信する第１の受信部と、
データを格納する第１のデータ領域と、前記第１のデータ領域以外の領域である第２のデータ領域との双方に、前記受信した信号を複数格納してデータフレームを生成する生成部と、
前記生成したデータフレームを送信する送信部と、
を備える、通信システム。
【請求項８】
複数の信号を受信する受信ステップと、
データを格納する第１のデータ領域と、前記第１のデータ領域以外の領域である第２のデータ領域との双方に、前記受信した信号を複数格納してデータフレームを生成する生成ステップと、
前記生成したデータフレームを送信する送信ステップと、
を含む、通信方法。
【請求項９】
複数の信号を受信する受信処理と、
データを格納する第１のデータ領域と、前記第１のデータ領域以外の領域である第２のデータ領域との双方に、前記受信した信号を複数格納してデータフレームを生成する生成処理と、
前記生成したデータフレームを送信する送信処理と、
をコンピュータに実行させる、通信プログラム。
【請求項１０】
データを格納する第１のデータ領域と、
前記第１のデータ領域以外の領域である第２のデータ領域と、
を含み、
前記第１のデータ領域と、前記第２のデータ領域との双方に、前記中継装置が受信した複数の信号を格納する、データフレームの構造。
【発明の詳細な説明】
【技術分野】
【０００１】
本発明は、データフレームを中継する中継装置、通信システム、通信方法、通信プログラム、およびデータフレームの構造に関する。
【背景技術】
【０００２】
近年、携帯電話キャリアのバックボーンネットワークにおいては、非特許文献１により規定されている、ビットレートが２．０４８Ｍｂｐｓ（ｂｉｔ  ｐｅｒ  ｓｅｃｏｎｄ）の信号であるＥ１２信号が主に使用されている。このＥ１２信号が使用される携帯電話キャリアのバックボーンネットワークにおいては、携帯電話の普及や、携帯電話を利用した通信量の増加により、回線需要が急増している。【０００３】
しかし、携帯電話キャリアのバックボーン回線の帯域を増強するためにはコストが必要であるため、携帯電話キャリアにおいては、バックボーン回線の帯域を増やすことなく、収容回線容量だけを増やすことが望まれていた。収容回線容量を増加させるためには、例えば、収容回線内の通信を多重化することが考えられる。【０００４】
光伝送における多重化技術の代表的なものに、特許文献１、特許文献２、非特許文献２に開示されている、ＳＤＨ（Ｓｙｎｃｈｒｏｎｏｕｓ  Ｄｉｇｉｔａｌ  Ｈｉｅｒａｒｃｈｙ）という技術がある。ＳＤＨは、複数の信号を多重化して送信する技術である。【０００５】
ＳＤＨは、図９に示されるような通信システム内でのデータフレームの伝送を目的としている。図９の通信システムは、回線終端装置３００、回線終端装置３０３、中継伝送装置３０１、中継伝送装置３０２から構成される。回線終端装置をＬＴＥ（Ｌｉｎｅ−Ｔｅｒｍｉｎａｔｉｎｇ  Ｅｑｕｉｐｍｅｎｔ）あるいは端局、中継伝送装置をＲＥＧ（Ｒｅｇｅｎｅｒａｔｏｒ）と呼称する場合もある。【０００６】
また、回線終端装置と回線終端装置との区間を多重化セクションと呼ぶ。また、回線終端装置と中継伝送装置との区間、もしくは中継伝送装置と中継伝送装置との区間を中継セクションと呼ぶ。【０００７】
図１０は、ＳＤＨで扱われる基本的なデータフレームであるＳＴＭ−１（Ｓｙｎｃｈｒｏｎｏｕｓ  Ｔｒａｎｓｐｏｒｔ  Ｍｏｄｕｌｅ）フレームフォーマットを示している。ＳＴＭ−１は、ＳＤＨの基本多重単位であり、その速度は１５５．５２Ｍｂｐｓである。以下、ＳＴＭ−１フレームのフォーマットについて説明する。【０００８】
図１０に示す通り、ＳＴＭ−１フレーム３１０は、９×３バイトのＲＳＯＨ（Ｒｅｇｅｎｅｒａｔｏｒ  Ｓｅｃｔｉｏｎ  Ｏｖｅｒｈｅａｄ）３１１、９×１バイトのＡＵ（Ａｄｍｉｎｉｓｔｒａｔｉｖｅ  Ｕｎｉｔ）ポインタ３１２、９×５バイトのＭＳＯＨ（Ｍｕｌｔｉｐｌｅ  Ｓｅｃｔｉｏｎ  Ｏｖｅｒｈｅａｄ）３１３、２６１×９バイトのペイロード３１４から構成される。【０００９】
ペイロード３１４には、複数の信号（チャンネル）を多重化して格納する。上述のＥ１２信号の多重化を行う場合には、このペイロード３１４に複数のＥ１２信号を多重化する。ＡＵポインタ３１２は、多重化した信号が格納されている位置を示すフィールドである。ＲＳＯＨ３１１は、中継セクション間での通信の際に、回線終端装置もしくは中継伝送装置において終端され、付け替えが行われるフィールドである。ＭＳＯＨ３１３は、多重化セクション間での通信の際に、回線終端装置において終端され、付け替えが行われるフィールドである。
【先行技術文献】
【特許文献】
【００１０】
【特許文献１】特開平１１−２１５０８５号公報
【特許文献２】特開平１１−２３４３４５号公報
【非特許文献】
【００１１】
【非特許文献１】ＩＴＵ−Ｔ  Ｇ．７０３  Ｐｈｙｓｉｃａｌ／ｅｌｅｃｔｒｉｃａｌ  ｃｈａｒａｃｔｅｒｉｓｔｉｃｓ  ｏｆ  ｈｉｅｒａｒｃｈｉｃａｌ  ｄｉｇｉｔａｌ  ｉｎｔｅｒｆａｃｅｓ．
【非特許文献２】ＩＴＵ−Ｔ  Ｇ．７０７／Ｙ．１３２２  Ｎｅｔｗｏｒｋ  ｎｏｄｅ  ｉｎｔｅｒｆａｃｅ  ｆｏｒ  ｔｈｅ  ｓｙｎｃｈｒｏｎｏｕｓ  ｄｉｇｉｔａｌ  ｈｉｅｒａｒｃｈｙ  （ＳＤＨ）．
【発明の概要】
【発明が解決しようとする課題】
【００１２】
しかしながら、上述の特許文献１、特許文献２、非特許文献２に開示のＳＴＭ−１フレームを用いて非特許文献１に記載のＥ１２信号を多重化する場合には、通信効率が低いという課題があった。【００１３】
上述の通り、ＳＴＭ−１フレームでは、ＲＳＯＨ３１１、ＡＵポインタ３１２、ＭＳＯＨ３１３というように、オーバーヘッド用にデータ領域を使用する必要があった。よって、Ｅ１２信号の多重化のためには、ペイロード３１４を利用していた。このため、ペイロード３１４にＥ１２信号を多重化する場合、Ｅ１２信号を多重化できる個数は、最大でも６３個（チャンネル）となっており、その通信効率は約８３％であった。ＳＴＭ−１フレームの通信帯域は、上述の通り１５５．５２Ｍｂｐｓであるので、約２６Ｍｂｐｓもの帯域を無駄にしてしまっているといえる。【００１４】
本発明の目的は、上述した課題を解決することが可能な、中継装置、通信システム、通信方法、通信プログラム、およびデータフレームの構造を提供することにある。
【課題を解決するための手段】
【００１５】
本発明による中継装置は、複数の信号を受信する受信部と、データを格納する第１のデータ領域と、前記第１のデータ領域以外の領域である第２のデータ領域との双方に、前記受信した信号を複数格納してデータフレームを生成する生成部と、前記生成したデータフレームを送信する送信部と、を備えることを特徴とする。【００１６】
本発明による通信システムは、データフレームを送信する送信側中継装置と、前記データフレームを受信する受信側中継装置と、を備え、前記送信側中継装置は、複数の信号を受信する第１の受信部と、データを格納する第１のデータ領域と、前記第１のデータ領域以外の領域である第２のデータ領域との双方に、前記受信した信号を複数格納してデータフレームを生成する生成部と、前記生成したデータフレームを送信する送信部と、を備えることを特徴とする通信システムである。【００１７】
本発明による通信方法は、複数の信号を受信する受信ステップと、データを格納する第１のデータ領域と、前記第１のデータ領域以外の領域である第２のデータ領域との双方に、前記受信した信号を複数格納してデータフレームを生成する生成ステップと、前記生成したデータフレームを送信する送信ステップと、を含むことを特徴とする通信方法である。【００１８】
本発明による通信プログラムは、複数の信号を受信する受信処理と、データを格納する第１のデータ領域と、前記第１のデータ領域以外の領域である第２のデータ領域との双方に、前記受信した信号を複数格納してデータフレームを生成する生成処理と、前記生成したデータフレームを送信する送信処理と、をコンピュータに実行させることを特徴とする通信プログラムである。【００１９】
本発明によるデータフレームの構造は、データを格納する第１のデータ領域と、前記中継制御領域および前記第１のデータ領域以外の領域である第２のデータ領域と、を含み、前記第１のデータ領域と、前記第２のデータ領域との双方に、前記中継装置が受信した複数の信号を格納することを特徴とするデータフレームの構造である。
【発明の効果】
【００２０】
本発明によれば、信号をデータフレームに格納して送信する場合の通信効率を向上させることが可能となる。
【図面の簡単な説明】
【００２１】
【図１】第１の実施形態による中継装置１００の構成を示すブロック図である。
【図２】第１の実施形態による中継装置１００の動作を示すフローチャートである。
【図３】第２の実施形態によるシステムの構成を示すブロック図である。
【図４】第２の実施形態による中継装置２００の構成を示すブロック図である。
【図５】第２の実施形態による中継装置２００の動作を示すフローチャートである。
【図６】第２の実施形態によるＳＴＭ−１フレーム２４０を示す図である。
【図７】第２の実施形態による中継装置２１０の構成を示すブロック図である。
【図８】第２の実施形態による中継装置２１０の動作を示すフローチャートである。
【図９】背景技術のシステム構成を示す図である。
【図１０】背景技術のＳＴＭ−１フレーム３１０を示す図である。
【発明を実施するための形態】
【００２２】
以下、本発明の実施形態について、図面を用いて詳細に説明する。
【００２３】
＜実施形態１＞
まず、本発明の第１の実施形態について説明する。
【００２４】
（構成・動作）
図１は、第１の実施形態による中継装置の構成を示したブロック図である。図１によれば、中継装置１００は、受信部１０１、生成部１０２、送信部１０３を含む。また、図２は、中継装置１００の動作を示したフローチャートである。以下、図１および図２を用いて、中継装置１００の構成および動作について説明する。
【００２５】
受信部１０１は、複数の信号を受信する（図２：ステップＳ０１）。
【００２６】
生成部１０２は、データを格納する第１のデータ領域と、第１のデータ領域以外の領域である第２のデータ領域との双方に、受信部１０１で受信した信号を複数格納してデータフレームを生成する（図２：ステップＳ０２）。
【００２７】
送信部１０３は、生成部１０２が生成したデータフレームを送信する（図２：ステップＳ０３）。
【００２８】
（効果）
以上の構成によれば、生成部１０２が、データを格納する第１のデータ領域と、第１のデータ領域以外の領域である第２のデータ領域に、受信部１０１で受信した信号を複数格納したデータフレームを生成する。以上の動作により、信号をデータフレームに格納して送信する場合の通信効率を向上させることが可能となる。
【００２９】
＜実施形態２＞
次に、本発明の第２の実施形態について説明する。
【００３０】
（システムの構成）
図３は、第２の実施形態によるシステムの構成例を示したブロック図である。図３によれば、第２の実施形態によるシステムは、中継装置２００、中継装置２１０、交換機２２０、基地局２３１、基地局２３２および基地局２３３を含む。
【００３１】
ここで、図３のシステム構成を、図９に示したシステムに当てはめると、各基地局および交換機２２０が、回線終端装置（端局）に相当する。同様に、中継装置２００と中継装置２１０は、中継伝送装置に相当する。
【００３２】
以降、基地局２３１、基地局２３２、基地局２３３から中継装置２００、中継装置２１０を介して、交換機２２０に対して、Ｅ１２信号をＳＴＭ−１フレームに多重化して通信を行う場合の構成および動作について説明する。
【００３３】
なお、逆方向の通信が行われる場合であっても、本実施形態の構成および動作に大きな変更はない。その場合には、以下で説明する中継装置２００の機能を中継装置２１０が、中継装置２１０の機能を中継装置２００が、それぞれ備えていれば良い。さらに、双方向の通信を行う場合には、以下で説明する中継装置２００および中継装置２１０の双方の機能を、中継装置２００と中継装置２１０の双方が備えていれば良い。
【００３４】
また、第１の実施形態ではＥ１２信号をＳＴＭ−１フレームに多重化して通信を行う場合について説明するが、本発明はこれに限定されるものではない。ある信号を、何らかのフレームに多重化して送信するような通信方式であれば、どのようなものでも適用することが可能である。例えば、ＳＤＨ方式およびＳＤＨに類似のＳＯＮＥＴ（Ｓｙｎｃｈｒｏｎｏｕｓ  Ｏｐｔｉｃａｌ  Ｎｅｔｗｏｒｋ）方式で採用されている、ＳＴＭ−４フレームやＳＴＭ−１６フレームのＳＴＭ−Ｎフレームでも、ＳＴＭ−１フレームと同様に本実施形態を適用することができる。
【００３５】
基地局２３１、基地局２３２、基地局２３３は、通信キャリア等のバックボーンネットワーク（図では非表示）に接続されている。各基地局は、バックボーンネットワークからＥ１２信号による通信を受信すると、中継装置２００に向けてＥ１２信号を送信する。これらの基地局は、一般的に良く知られている基地局等を想定しているため、詳細な説明は省略する。
【００３６】
中継装置２００は、基地局２３１、基地局２３２、基地局２３３に接続されている。また、中継装置２００は、光ファイバ回線を介して中継装置２１０に接続されている。
【００３７】
中継装置２００は、各基地局からの信号を受信し、各信号を格納したフレームを生成し、中継装置２１０に向けて送信する。この中継装置２００の構成および動作については、後に詳しく説明する。
【００３８】
なお、図３の例では、中継装置２００と中継装置２１０を接続する回線を光ファイバとしたが、本発明はこれに限定されるものではない。例えば、マイクロ波無線機やメディアコンバータ等を介在させることも可能である。
【００３９】
中継装置２１０は、中継装置２００と、交換機２２０に接続されている。中継装置２１０は、中継装置２００からフレームを受信し、信号を再生し、交換機２２０に向けて送信する。この中継装置２１０の構成および動作については、後に詳しく説明する。
【００４０】
交換機２２０は、中継装置２１０から信号を受信する。交換機２２０は、受信した信号の送信元や宛先等から、通信経路間の接続を切り替え、通信回線を構成する。この交換機２２０は、一般的に良く知られている交換機等を想定しているため、詳細な説明は省略する。
【００４１】
（中継装置２００の構成および動作）
次に、中継装置２００の構成および動作について説明する。
【００４２】
図４は、中継装置２００の構成を示したブロック図である。図４によれば、中継装置２００は、Ｅ１２信号受信部２０１と、ＳＴＭ−１フレーム生成部２０２と、ＳＴＭ−１フレーム送信部２０３とを含む。また、図５は、中継装置２００の動作を示したフローチャートである。以下、図４および図５を用いて、中継装置２００の構成および動作について説明する。
【００４３】
Ｅ１２信号受信部２０１は、各基地局が送信したＥ１２信号を受信する（図５：ステップＳ１１）。その後、Ｅ１２信号受信部２０１は、受信したＥ１２信号を、中継装置２００内で扱うためのビット列に変換する。図４の例では、第１−Ｅ１２信号受信部２０１−１〜第Ｎ−Ｅ１２信号受信部２０１−Ｎが、Ｎ個の信号をそれぞれ受信している。図３のシステムに中継装置２００を適用する場合には、例えば、第１−Ｅ１２信号受信部２０１−１が、基地局２３１が送信したＥ１２信号を受信する構成となる。
【００４４】
ＳＴＭ−１フレーム生成部２０２は、Ｅ１２信号受信部２０１が受信したＥ１２信号に対応するビット列を多重化したＳＴＭ−１フレームを生成する（図５：ステップＳ１２）。その後、ＳＴＭ−１フレーム生成部２０２は、生成したフレームをＳＴＭ−１フレーム送信部２０３に転送する。ＳＴＭ−１フレーム生成部２０２が生成するＳＴＭ−１フレームについては、後に説明する。
【００４５】
ＳＴＭ−１フレーム送信部２０３は、ＳＴＭ−１フレーム生成部２０２が生成したＳＴＭ−１フレームを受信する。その後、ＳＴＭ−１フレーム送信部２０３は、中継装置２１０に向けてＳＴＭ−１フレームを送信する（図５：ステップＳ１３）。
【００４６】
（フレームの説明）
ここで、ＳＴＭ−１フレーム生成部２０２が生成するＳＴＭ−１フレームについて、詳細に説明する。
【００４７】
図６は、ＳＴＭ−１フレーム生成部２０２が生成するＳＴＭ−１フレーム２４０のフレームフォーマットを示している。図６によれば、ＳＴＭ−１フレーム２４０は、ＲＳＯＨ２４１、フレーム順序制御バイト２４２、ペイロード２４３を含む。
【００４８】
図１０のＳＴＭ−１フレーム３１０と比較すると、ＳＴＭ−１フレーム２４０は、ＲＳＯＨ３１１と同等のＲＳＯＨ２４１を有するが、ＡＵポインタ３１２およびＭＳＯＨ３１３は有していない。図１０のＳＴＭ−１フレーム３１０において、ＡＵポインタ３１２およびＭＳＯＨ３１３の情報を用いて行っていた制御を、ＳＴＭ−１フレーム２４０では、フレーム順序制御バイト２４２等を用いて実現する。このような構成にすることで、オーバーヘッド領域を削減し、ペイロードにより多くのデータ領域を割くことができる。
【００４９】
ＲＳＯＨ２４１は、上述の通り、図１０のＲＳＯＨ３１１と同様のものである。第２の実施形態において、ＲＳＯＨ２４１は、本実施形態で中継セクションとして扱われる、各基地局、各中継装置、および交換機２２０のそれぞれの区間における通信の制御用に使われる。
【００５０】
フレーム順序制御バイト２４２は、ＳＴＭ−１フレーム生成部２０２が多重化したＥ１２信号に対応するビット列の順序を制御するための情報である。ＳＴＭ−１フレーム２４０に、このフレーム順序制御バイト２４２を格納することにより、中継装置２０１においてＥ１２信号に対応するビット列の再生が可能となる。
【００５１】
フレーム順序制御バイト２４２には、図１０のＳＴＭ−１フレーム３１０において、ＡＵポインタ３１２およびＭＳＯＨ３１３に格納された情報の一部を格納する。中継装置２０１において、Ｅ１２信号に対応するビット列の再生が可能になる構成であれば、どのような情報を格納しても構わない。つまり、フレーム順序制御バイト２４２のサイズは、一意に定められるものではない。そのため、図６には、フレーム順序制御用バイト２４２のフィールドの大きさについては記載していない。以下では、フレーム順序制御バイト２４２に含める情報の例について説明する。
【００５２】
フレーム順序制御バイト２４２に含める情報の例としては、まず、図１０のＡＵポインタ３１２に格納されていた、データの先頭位置に関する情報が挙げられる。この情報は、中継装置２０１において、Ｅ１２信号に対応するビット列を再生する際に、フレームの順序を検出するために使用されるものである。
【００５３】
また、フレーム順序制御バイト２４２には、図１０のＭＳＯＨ３１３で行っていた、端局間（図３でいえば、各基地局と交換機２２０）の同期制御に関わる情報を含めることも可能である。この情報は、非特許文献２に開示されているＳＴＭ−１フレームフォーマットでいえば、Ｓ１と呼ばれるものに相当する。
【００５４】
ペイロード２４３には、Ｅ１２信号に対応するビット列を多重化して格納する。さらに、Ｅ１２信号の各チャンネルに対応するビット列の間に、図１０のＳＴＭ−１フレーム３１０のＡＵポインタ３１２の周波数差吸収用の情報と、ＭＳＯＨ３１３の誤り検出用の情報を格納する。より具体的には、ＡＵポインタ３１２の周波数差吸収用の情報は、スタッフ制御ビット、スタッフ・デスタッフビット、もしくは正負スタッフ制御ビット等と呼ばれるものに相当する。スタッフ制御ビットとは、多重化した信号を送信する際に、各信号の周波数差を吸収するために設けられているものである。また、ＭＳＯＨ３１３の誤り検出用の情報は、非特許文献２に開示されているＳＴＭ−１フレームフォーマットでいえば、Ｂ２と呼ばれる誤り検出用の情報と、Ｍ１と呼ばれる対局誤りを表示する情報に相当する。
【００５５】
（中継装置２１０の構成および動作）
続いて、中継装置２１０の構成および動作について説明する。
【００５６】
図７は、中継装置２１０の構成を示したブロック図である。図７によれば、中継装置２１０は、ＳＴＭ−１フレーム終端部２１１、Ｅ１２信号分解部２１２、Ｅ１２信号送信部２１３を含む。また、図８は、中継装置２１０の動作を示したフローチャートである。以下、図７および図８を用いて、中継装置２１０の構成および動作について説明する。
【００５７】
ＳＴＭ−１フレーム終端部２１１は、中継装置２００が送信したＳＴＭ−１フレーム２４０を受信し、ＳＴＭ−１フレーム２４０を終端する（図８：ステップＳ２１）。
【００５８】
次に、ＳＴＭ−１フレーム終端部２１１は、ＳＴＭ−１フレーム２４０のフレーム順序制御バイト２４２や、ペイロード２４３の各Ｅ１２信号に対応するビット列間に格納されたスタッフ制御ビット、誤り検出ビットに基づいて、Ｅ１２信号に対応するビット列の再生を行う（図８：ステップＳ２２）。再生したビット列は、多重化されたＥ１２信号に対応するビット列が複数並べられた、１つの長いビット列となっている。次に、ＳＴＭ−１フレーム終端部２１１は、再生したビット列をＥ１２信号分解部２１２に送信する。
【００５９】
Ｅ１２信号分解部２１２は、再生したビット列を受信し、再生したビット列を各チャンネル、Ｎ個分のＥ１２信号に分解する（図８：ステップＳ２３）。次に、Ｅ１２信号分解部２１２は、分解したＮ個のＥ１２信号を、Ｅ１２信号送信部２１３に送信する。
【００６０】
Ｅ１２信号送信部２１３は、第１−Ｅ１２信号送信部２１３−１〜第Ｎ−Ｅ１２信号送信部２１３−Ｎを含んで構成される。第１−Ｅ１２信号送信部２１３−１〜第Ｎ−Ｅ１２信号送信部２１３−Ｎのそれぞれが、受信したＥ１２信号を交換機２２０に向けて送信する（図８：ステップＳ２４）。
【００６１】
なお、ＳＴＭ−１フレーム終端部２１１は、装置の外部から信号またはデータを受信するという点において、中継装置２００のＥ１２信号受信部２０１（図４）と共通している。そのため、中継装置が中継装置２００および中継装置２１０の双方の機能を備える場合には、同一の機能ブロックとして実装することも可能である。このことは、信号またはデータを送信する機能であるＥ１２信号送信部２１３とＳＴＭ−１フレーム送信部２０３（図４）についても同様である。
【００６２】
また、本実施形態においては、Ｅ１２信号を格納するデータ領域として、非特許文献２等に記載のＳＴＭ−１フレーム３１０（図１０）におけるペイロード３１４に加えて、ＡＵポインタ３１２とＭＳＯＨ３１３を含めた例について説明した。しかしながら、各基地局から各中継装置を介して交換機２２０までデータフレームが伝送されるようなフレームフォーマットの設定を行えば、本発明はこれに限定されるものではない。より具体的には、本実施形態におけるＲＳＯＨ２４１、フレーム順序制御バイト２４２で行う通信制御の機能が他の領域で設定されていれば、図６以外のフレームフォーマットであっても良い。
【００６３】
（効果）
以上説明した通り、第２の実施形態において、中継装置２００は、ＳＴＭ−１フレームのＡＵポインタとＭＳＯＨの領域とペイロードに、Ｅ１２信号を多重化して送信している。
【００６４】
以上の動作により、特許文献１、特許文献２、非特許文献２等に記載のＳＴＭ−１フレームを用いた場合よりも多くのＥ１２信号を多重化することが可能となる。より具体的には、本実施形態のＳＴＭ−１フレーム２４０を用いた場合、最大で７５チャンネル分のＥ１２信号を多重化することが可能である。特許文献１、特許文献２、非特許文献２等に記載のＳＴＭ−１フレームを用いた場合の通信効率は約８３％であったのに対して、本実施形態の通信効率は、９８．７５％まで向上する。
【００６５】
上記の実施形態の一部または全部は、以下の付記のようにも記載され得るが、以下には限られない。
【００６６】
（付記１）
中継器は、
複数の信号を受信する受信部と、
データを格納する第１のデータ領域と、前記第１のデータ領域以外の領域である第２のデータ領域との双方に、前記受信した信号を複数格納してデータフレームを生成する生成部と、
前記生成したデータフレームを送信する送信部と、
を備えている。
【００６７】
（付記２）
中継装置は、
前記第２のデータ領域が、端局間通信に用いられる端局間通信制御領域を含む、付記１に記載の中継装置であってもよい。
【００６８】
（付記３）
中継装置は、
前記第２のデータ領域が、前記格納した信号のポインタに用いられるポインタ領域を含む付記１または２に記載の中継装置であってもよい。
【００６９】
（付記４）
中継装置は、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む、付記１から３のいずれか１つに記載の中継装置であってもよい。
【００７０】
（付記５）
中継装置は、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＡＵ（Ａｄｍｉｎｉｓｔｒａｔｉｖｅ  Ｕｎｉｔ）ポインタを含む、付記１から４のいずれか１つに記載の中継装置であってもよい。
【００７１】
（付記６）
中継装置は、
前記生成部が、さらに、前記データフレームの順序を制御するための順序制御情報を前記データフレームに格納する、付記１から５のいずれか１つに記載の中継装置であってもよい。
【００７２】
（付記７）
中継装置は、
前記受信部が、前記データフレームを受信した場合に、前記順序制御情報に従って、前記格納された複数の信号を再生する、付記６に記載の中継装置であってもよい。
【００７３】
（付記８）
中継装置は、
前記生成部が、さらに、誤り検出ビットと、スタッフビットと、デスタッフビットとを前記格納された複数の信号と信号との間に格納する、付記１から７のいずれか１つに記載の中継装置であってもよい。
【００７４】
（付記９）
データフレームを送信する送信側中継装置と、
前記データフレームを受信する受信側中継装置と、
を備え、
前記送信側中継装置は、
複数の信号を受信する第１の受信部と、
データを格納する第１のデータ領域と、前記第１のデータ領域以外の領域である第２のデータ領域との双方に、前記受信した信号を複数格納してデータフレームを生成する生成部と、
前記生成したデータフレームを送信する送信部と、
を備える、通信システムである。
【００７５】
（付記１０）
通信システムは、
前記第２のデータ領域が、端局間通信に用いられる端局間通信制御領域を含む、付記９に記載の通信システムでもよい。
【００７６】
（付記１１）
通信システムは、
前記第２のデータ領域が、前記格納した信号のポインタに用いられるポインタ領域を含む、付記９または１０に記載の通信システムでもよい。
【００７７】
（付記１２）
通信システムは
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む、付記９から１１のいずれか１つに記載の通信システムでもよい。
【００７８】
（付記１３）
通信システムは、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域以外の領域は、ＳＴＭ−１フレームにおけるＡＵ（Ａｄｍｉｎｉｓｔｒａｔｉｖｅ  Ｕｎｉｔ）ポインタを含む、付記９から１２のいずれか１つに記載の通信システムでもよい。
【００７９】
（付記１４）
通信システムは、
前記生成部が、さらに、前記データフレームの順序を制御するための順序制御情報を前記データフレームに格納する、付記９から１３のいずれか１つに記載の通信システムでもよい。
【００８０】
（付記１５）
通信システムは、
前記受信側中継装置が、
前記データフレームを受信した場合に、前記順序制御情報に従って、前記格納された複数の信号を再生する第２の受信部を備える、付記１４に記載の通信システムでもよい。
【００８１】
（付記１６）
通信システムは、
前記生成部が、さらに、誤り検出ビットと、スタッフビットと、デスタッフビットとを前記格納された複数の信号と信号との間に格納する、付記９から１５のいずれか１つに記載の通信システムでもよい。
【００８２】
（付記１７）
複数の信号を受信する受信ステップと、
データを格納する第１のデータ領域と、前記第１のデータ領域以外の領域である第２のデータ領域との双方に、前記受信した信号を複数格納してデータフレームを生成する生成ステップと、
前記生成したデータフレームを送信する送信ステップと、
を含む通信方法である。
【００８３】
（付記１８）
通信方法は、
前記第２のデータ領域が、端局間通信に用いられる端局間通信制御領域を含む、付記１７に記載の通信方法でもよい。
【００８４】
（付記１９）
通信方法は、
前記第２のデータ領域が、前記格納した信号のポインタに用いられるポインタ領域を含む、付記１７または１８に記載の通信方法でもよい。
【００８５】
（付記２０）
通信方法は、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む、付記１７から１９のいずれか１つに記載の通信方法でもよい。
【００８６】
（付記２１）
通信方法は、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＡＵ（Ａｄｍｉｎｉｓｔｒａｔｉｖｅ  Ｕｎｉｔ）ポインタを含む、付記１７から２０のいずれか１つに記載の通信方法でもよい。
【００８７】
（付記２２）
通信方法は、
前記生成ステップが、さらに、前記データフレームの順序を制御するための順序制御情報を前記データフレームに格納する、付記１７から２１のいずれか１つに記載の通信方法でもよい。
【００８８】
（付記２３）
通信方法は、
前記受信ステップが、前記データフレームを受信した場合に、前記順序制御情報に従って、前記格納された複数の信号を再生する、付記２２に記載の通信方法でもよい。
【００８９】
（付記２４）
通信方法は、
前記生成ステップが、さらに、誤り検出ビットと、スタッフビットと、デスタッフビットとを前記格納された複数の信号と信号との間に格納する、付記１７から２３のいずれか１つに記載の通信方法であってもよい。
【００９０】
（付記２５）
通信プログラムは、
複数の信号を受信する受信処理と、
データを格納する第１のデータ領域と、前記第１のデータ領域以外の領域である第２のデータ領域との双方に、前記受信した信号を複数格納してデータフレームを生成する生成処理と、
前記生成したデータフレームを送信する送信処理と、
をコンピュータに実行させる。
【００９１】
（付記２６）
通信プログラムは、
前記第２のデータ領域が、端局間通信に用いられる端局間通信制御領域を含む、付記２５に記載の通信プログラムであってもよい。
【００９２】
（付記２７）
通信プログラムは、
前記第２のデータ領域が、前記格納した信号のポインタに用いられるポインタ領域を含む、付記２５または２６に記載の通信プログラムであってもよい。
【００９３】
（付記２８）
通信プログラムは、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む、付記２５から２７のいずれか１つに記載の通信プログラムであってもよい。
【００９４】
（付記２９）
通信プログラムは、
前記データフレームが、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域領域は、ＳＴＭ−１フレームにおけるＡＵ（Ａｄｍｉｎｉｓｔｒａｔｉｖｅ  Ｕｎｉｔ）ポインタを含む、付記２５から２８のいずれか１つに記載の通信プログラムであってもよい。
【００９５】
（付記３０）
通信プログラムは、
前記生成処理が、さらに、前記データフレームの順序を制御するための順序制御情報を前記データフレームに格納する、付記２５から２９のいずれか１つに記載の通信プログラムであってもよい。
【００９６】
（付記３１）
通信プログラムは、
前記受信処理が、前記データフレームを受信した場合に、前記順序制御情報に従って、前記格納された複数の信号を再生する、付記３０に記載の通信プログラムであってもよい。
【００９７】
（付記３２）
通信プログラムは、
前記生成処理が、さらに、誤り検出ビットと、スタッフビットと、デスタッフビットとを前記格納された複数の信号と信号との間に格納する、付記２５から３１のいずれか１つに記載の通信プログラムであってもよい。
【００９８】
（付記３３）
データフレームの構造は、
データを格納する第１のデータ領域と、
前記第１のデータ領域以外の領域である第２のデータ領域と、
を含み、
前記第１のデータ領域と、前記第２のデータ領域との双方に、前記中継装置が受信した複数の信号を格納する。
【００９９】
（付記３４）
データフレームの構造は、
前記第２のデータ領域が、端局間通信に用いられる端局間通信制御領域を含む、付記３３に記載のデータフレームの構造であってもよい。
【０１００】
（付記３５）
データフレームの構造は、
前記第２のデータ領域が、前記格納した信号のポインタに用いられるポインタ領域に格納される、付記３３または３４に記載のデータフレームの構造であってもよい。
【０１０１】
（付記３６）
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したデータフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む、付記３３から３５のいずれか１つに記載のデータフレームの構造であってもよい。
【０１０２】
（付記３７）
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＡＵ（Ａｄｍｉｎｉｓｔｒａｔｉｖｅ  Ｕｎｉｔ）ポインタを含む、付記３３から３６のいずれか１つに記載のデータフレームの構造であってもよい。
【０１０３】
（付記３８）
前記データフレームは、前記データフレームの順序を制御するための順序制御情報を格納する、付記３３から３７のいずれか１つに記載のデータフレームの構造であってもよい。
【０１０４】
（付記３９）
前記データフレームは、誤り検出ビットと、スタッフビットと、デスタッフビットとを前記格納された複数の信号と信号との間に格納する、付記３３から付記３８のいずれか１つに記載のデータフレームの構造であってもよい。
本願は、２０１０年９月１４日に、日本に出願された特願２０１０−２０５８４２号に基づき優先権を主張し、その内容をここに援用する。
【産業上の利用可能性】
【０１０５】
信号をデータフレームに格納して送信する場合の通信効率を向上させることが可能となる。
【符号の説明】
【０１０６】
１００    中継装置
１０１    受信部
１０２    生成部
１０３    送信部
２００    中継装置
２０１    Ｅ１２信号受信部
２０１−１    第１−Ｅ１２信号受信部
２０１−Ｎ    第Ｎ−Ｅ１２信号受信部
２０２    ＳＴＭ−１フレーム生成部
２０３    ＳＴＭ−１フレーム送信部
２１０    中継装置
２１１    ＳＴＭ−１フレーム終端部
２１２    Ｅ１２信号分解部
２１３    Ｅ１２信号送信部
２１３−１    第１−Ｅ１２信号送信部
２１３−Ｎ    第Ｎ−Ｅ１２信号送信部
２２０    交換機
２３１    基地局
２３２    基地局
２３３    基地局
２４０    ＳＴＭ−１フレーム
２４１    ＲＳＯＨ
２４２    フレーム順序制御バイト
２４３    ペイロード
３００    回線終端装置
３０１    中継伝送装置
３０２    中継伝送装置
３０３    回線終端装置
３１１    ＲＳＯＨ
３１２    ＡＵポインタ
３１３    ＭＳＯＨ
３１４    ペイロード
【図１】
2012036009.tif 000003
【図２】
2012036009.tif 000004
【図３】
2012036009.tif 000005
【図４】
2012036009.tif 000006
【図５】
2012036009.tif 000007
【図６】
2012036009.tif 000008
【図７】
2012036009.tif 000009
【図８】
2012036009.tif 000010
【図９】
2012036009.tif 000011
【図１０】
2012036009.tif 000012
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
複数の信号を受信する受信部と、
データを格納する第１のデータ領域と、前記第１のデータ領域以外の領域であって端局間通信に用いられる端局間通信制御領域を含む第２のデータ領域との双方に、前記受信した信号を複数格納してデータフレームを生成する生成部と、
前記生成したデータフレームを送信する送信部と
を備える中継装置。
【請求項２】
前記第２のデータ領域は、前記格納した信号のポインタに用いられるポインタ領域を含む
請求項１に記載の中継装置。
【請求項３】
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＭＳ（Ｍｕｌｔｉｐｌｅ  Ｓｅｃｔｉｏｎ）オーバーヘッドを含む
請求項１又は２に記載の中継装置。
【請求項４】
前記データフレームは、ＳＤＨ（Ｓｙｎｃｈｒｏｎｏｕｓ  Ｄｉｇｉｔａｌ  Ｈｉｅｒａｒｃｈｙ）におけるＳＴＭ−１フレームに準拠したフレームであり、
前記第１のデータ領域は、ＳＴＭ−１フレームにおけるペイロードであり、
前記第２のデータ領域は、ＳＴＭ−１フレームにおけるＡＵ（Ａｄｍｉｎｉｓｔｒａｔｉｖｅ  Ｕｎｉｔ）ポインタを含む
請求項１から３のいずれか一項に記載の中継装置。
【請求項５】
前記生成部は、更に、前記データフレームの順序を制御するための順序制御情報を前記データフレームに格納する
請求項１から４のいずれか一項に記載の中継装置。
【請求項６】
データフレームを送信する送信側中継装置と、
前記データフレームを受信する受信側中継装置と
を備え、
前記送信側中継装置は、
複数の信号を受信する第１の受信部と、
データを格納する第１のデータ領域と、前記第１のデータ領域以外の領域であって端局間通信に用いられる端局間通信制御領域を含む第２のデータ領域との双方に、前記受信した信号を複数格納してデータフレームを生成する生成部と、
前記生成したデータフレームを送信する送信部と
を有する通信システム。
【請求項７】
複数の信号を受信する受信段階と、
データを格納する第１のデータ領域と、前記第１のデータ領域以外の領域であって端局間通信に用いられる端局間通信制御領域を含む第２のデータ領域との双方に、前記受信した信号を複数格納してデータフレームを生成する生成段階と、
前記生成したデータフレームを送信する送信段階と
を備える通信方法。
【請求項８】
コンピュータを、
複数の信号を受信する受信部、
データを格納する第１のデータ領域と、前記第１のデータ領域以外の領域であって端局間通信に用いられる端局間通信制御領域を含む第２のデータ領域との双方に、前記受信した信号を複数格納してデータフレームを生成する生成部、
前記生成したデータフレームを送信する送信部
として機能させる通信プログラム。
【請求項９】
データを格納する第１のデータ領域と、
前記第１のデータ領域以外の領域であって端局間通信に用いられる端局間通信制御領域を含む第２のデータ領域と、
を含み、
前記第１のデータ領域と、前記第２のデータ領域との双方に、前記中継装置が受信した複数の信号を格納する
データフレームの構造。
【手続補正２】
【補正対象書類名】明細書
【補正対象項目名】００１５
【補正方法】変更
【補正の内容】
【００１５】
上記課題を解決するために、本発明の第１の形態によると、中継装置であって、複数の信号を受信する受信部と、データを格納する第１のデータ領域と、第１のデータ領域以外の領域であって端局間通信に用いられる端局間通信制御領域を含む第２のデータ領域との双方に、受信した信号を複数格納してデータフレームを生成する生成部と、生成したデータフレームを送信する送信部とを備える。
【手続補正３】
【補正対象書類名】明細書
【補正対象項目名】００１６
【補正方法】変更
【補正の内容】
【００１６】
本発明の第２の形態によると通信システムであって、データフレームを送信する送信側中継装置と、データフレームを受信する受信側中継装置とを備え、送信側中継装置は、複数の信号を受信する第１の受信部と、データを格納する第１のデータ領域と、第１のデータ領域以外の領域であって端局間通信に用いられる端局間通信制御領域を含む第２のデータ領域との双方に、受信した信号を複数格納してデータフレームを生成する生成部と、生成したデータフレームを送信する送信部とを有する。
【手続補正４】
【補正対象書類名】明細書
【補正対象項目名】００１７
【補正方法】変更
【補正の内容】
【００１７】
本発明の第３の形態によると、通信方法であって、複数の信号を受信する受信段階と、データを格納する第１のデータ領域と、第１のデータ領域以外の領域であって端局間通信に用いられる端局間通信制御領域を含む第２のデータ領域との双方に、受信した信号を複数格納してデータフレームを生成する生成段階と、生成したデータフレームを送信する送信段階とを備える。
【手続補正５】
【補正対象書類名】明細書
【補正対象項目名】００１８
【補正方法】変更
【補正の内容】
【００１８】
本発明の第４の形態によると、通信プログラムであって、コンピュータを、複数の信号を受信する受信部、データを格納する第１のデータ領域と、第１のデータ領域以外の領域であって端局間通信に用いられる端局間通信制御領域を含む第２のデータ領域との双方に、受信した信号を複数格納してデータフレームを生成する生成部、生成したデータフレームを送信する送信部として機能させる。
【手続補正６】
【補正対象書類名】明細書
【補正対象項目名】００１９
【補正方法】変更
【補正の内容】
【００１９】
本発明の第５の形態によると、データフレームの構造であって、データを格納する第１のデータ領域と、第１のデータ領域以外の領域であって端局間通信に用いられる端局間通信制御領域を含む第２のデータ領域と、を含み、第１のデータ領域と、第２のデータ領域との双方に、中継装置が受信した複数の信号を格納する。
【国際調査報告】
2012036009.tif 000013
2012036009.tif 000014